(57)【要約】【課題】調光層を侵さない材料と構成、外力や施工時の曲げなどによる剥離、クラックなどが起こらない機械的強度、諸々の外的要因（湿度、水、汚れ）からの保護が可能で信頼性が高く、外観的にも良好で、使い勝手もよい調光シートを提供する。【解決手段】調光フィルムが、液晶調光層の両側の面にそれぞれ、第１、第２透明電極と、第１、第２ＰＥＴフィルムとを備え、調光フィルムの両側の面にそれぞれ、平面視で調光フィルムよりも広い面積で調光フィルムを覆う第１、第２透明性フィルムが、第１、第２透明性接着剤を介して接着され、平面視で第１及び第２透明性フィルムが調光フィルムと重ならない領域に封止材を備え平面視で第２透明性接着剤の外形は、第２透明性フィルムの外形または調光フィルムの外形と一致する調光シートとする。【選択図】図１
2020126240.tif 000002
【特許請求の範囲】
【請求項１】
調光フィルムが、液晶調光層の両側の面にそれぞれ、第１、第２透明電極と、第１、第２ＰＥＴ（ポリエチレンテレフタレート）フィルムとを備え、
前記調光フィルムの両側の面にそれぞれ、平面視で前記調光フィルムよりも広い面積で前記調光フィルムを覆う第１、第２透明性フィルムが、夫々第１、第２透明性接着剤を介して接着され、
平面視で前記第１及び第２透明性フィルムが前記調光フィルムと重ならない領域に封止材を備え、
平面視で前記第２透明性接着剤の外形は、前記第２透明性フィルムの外形と一致する、ことを特徴とする調光シート。
【請求項２】
調光フィルムが、液晶調光層の両側の面にそれぞれ、第１、第２透明電極と、第１、第２ＰＥＴ（ポリエチレンテレフタレート）フィルムとを備え、
前記調光フィルムの両側の面にそれぞれ、平面視で前記調光フィルムよりも広い面積で前記調光フィルムを覆う第１、第２透明性フィルムが、夫々第１、第２透明性接着剤を介して接着され、
平面視で前記第１及び第２透明性フィルムが前記調光フィルムと重ならない領域に封止材を備え、
平面視で前記第２透明性接着剤の外形は、前記調光フィルムの外形と一致する、
ことを特徴とする調光シート。
【請求項３】
前記第２透明性フィルムは、第２透明性接着剤と接合する側の面に剥離剤がコーティングされた剥離コート層を有し、剥離自在に該第２透明性接着剤を保護することを特徴とする請求項１または２に記載の調光シート。
【請求項４】
前記第１、第２透明性接着剤の少なくとも一方が、紫外線カット（吸収、反射）機能、赤外線カット（吸収、反射）機能、波長選択機能の少なくとも１つを有する、
ことを特徴とする請求項１〜３の何れかに記載の調光シート。
【請求項５】
前記第１、第２透明性フィルムの少なくとも一方が、紫外線カット（吸収、反射）機能、赤外線カット（吸収、反射）機能、波長選択機能の少なくとも１つを有する、
ことを特徴とする請求項１〜４のいずれか一項に記載の調光シート。
【請求項６】
以下の工程を順次含む、ことを特徴とする請求項１〜５のいずれか一項に記載の調光シートの製造方法。
１）液晶調光層の両側の面にそれぞれ、第１、第２透明電極と、第１、第２ＰＥＴ（ポリエチレンテレフタレート）フィルムとを有する調光フィルムを作製する工程。
２）前記調光フィルムの少なくとも一方の面に第１、第２透明性接着剤の少なくとも一方を塗布形成し、平面視で所定の外形に切断する工程。
３）所定の外形に切断した前記調光フィルムに、平面視で前記調光フィルムよりも広い面積で前記調光フィルムを覆う第１透明性フィルムを貼り合わせた積層体を作製する工程。
４）前記積層体の、平面視で前記第１透明性フィルムが前記調光フィルムと重ならない領域の、前記調光フィルムの近傍に封止材を配置する工程。
５）第２透明性接着剤が塗布形成されており平面視で前記調光フィルムよりも広い面積で前記調光フィルムを覆う第２透明性フィルム、若しくは第２透明性接着剤が塗布形成されておらず平面視で前記調光フィルムよりも広い面積で前記調光フィルムを覆う第２透明性フィルムと、
前記積層体と、を貼り合わせて調光シート用積層体を作製する工程。
６）前記調光シート用積層体を、平面視で前記調光フィルムよりも外部の、前記封止材の
途中で切断する工程。
【請求項７】
一対のガラス間に、中間膜と、請求項１〜５のいずれか一項に記載の調光シートと、を挟持して一体化された、
ことを特徴とする合わせガラス。
【請求項８】
請求項３記載の調光シートから第２透明性フィルムを剥離して、露出させた第２透明性接着剤に、調光シート以上の面積のガラス板を接合してなる構成の後貼り型調光シート。
【発明の詳細な説明】
【技術分野】
【０００１】
本発明は、液晶調光層と透明電極とＰＥＴ（ポリエチレンテレフタレート）フィルムとからなる調光フィルムを備える調光シートとその製造方法、及び該調光シートを用いた合わせガラスに関する。
【背景技術】
【０００２】
昨今、調光フィルムを備え、電界を加えることで透明、不透明などの、調光コンディションをコントロールできるデバイスが開発、実用化されている。
【０００３】
調光フィルムは、高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）や高分子分散型液晶（ＰＤＬＣ：Ｐｏｌｙｍｅｒ
Ｄｉｓｐｅｒｓｅｄ  Ｌｉｑｕｉｄ  Ｃｒｙｓｔａｌ）などの、液晶分子を高分子で包み込んだ高分子液晶層を調光層とし、該調光層を両側から、透明導電膜による透明電極を形成した一対のＰＥＴ（ポリエチレンテレフタレート）などの透明性フィルム基材で挟持した構造からなる。透明電極の表面には液晶材料を配向する配向膜が形成されている場合もある。
【０００４】
例えば、自動車や建築物等に用いられる窓ガラスとして、一対の合わせガラスの間に前記の調光フィルムを備え、透明状態と不透明状態を切り替えることにより、室内から外の景色を見える透明な状態から、不透明な状態にして外部から室内を見えなくすることもできる。また、透明度を調整することにより、室外から室内に差し込む光の強度を調整することも可能である。
【０００５】
図６に、調光フィルム５を一対のガラス１０で挟持した合わせガラスの模式断面図を例示する。合わせガラスにはガラス１０と調光フィルム５の間に中間膜１１が設けられる。中間膜１１は、一対のガラス１０間に調光フィルム５を挟持して貼り合わせるための接着機能を有している。中間膜１１は、追加機能として、紫外線吸収剤、酸化防止剤、光安定化剤、染料、顔料等を含んでいるものもある。調光フィルム５と一対のガラス１０とを中間膜１１を介して挟持し減圧下で脱泡して、その後に加熱加圧することで一体化している。
【０００６】
中間膜５の材料としては、調光フィルム５への負荷を考慮すると、１４０℃以下で溶融する熱可塑性樹脂が好ましく、１００℃以下で溶融する樹脂がより好ましい。候補となる樹脂としては、ポリビニルブチラール（ＰＶＢ）、エチレン−酢酸ビニル共重合体（ＥＶＡ）、ポリウレタン、ポリ塩化ビニル、アイオノマー樹脂、セルロースジアセテート、セルローストリアセテート等が挙げられ、ＰＶＢ、ＥＶＡが一般に使用されている。
【０００７】
合わせガラスの場合、中間膜１１の材料（ＰＶＢ、ＥＶＡなど）と、調光フィルム５の基材である透明電極付きＰＥＴフィルム３との密着性が低い、中間膜１１により端部から調光層４が侵される、調光フィルム５の厚みが薄い場合にはしわが発生しやすい、などの課題がある。
【０００８】
一方で、一対（２枚）のガラスを用いる合わせガラスとは別に、１枚のガラス等の基板に貼り合せる後貼り型の調光シートの要望が高まって来ている。後貼り型とすることで、ガラス等の基板が１枚になるため軽量化が可能となり、また施工コストも抑えることができ、さらに既存インフラへも適用しやすくなる。また調光シートの厚さを調整し薄膜化することで曲面への加工も可能となる。
【０００９】
図７は、従来の後貼り型調光シートの第１例を例示する模式断面図である。図７の構造では、調光フィルム５の端部に封止材６を形成している。また、下方の透明電極付きＰＥＴフィルム３に透明性接着剤２を備えている。透明性接着剤２のさらに下方には、後貼り前には通常カバーフィルムを備えるが、図示を省略している。
【００１０】
以下、本願では、原則として、液晶調光層（適宜、単に調光層と記す）の両側の面にそれぞれ、第１、第２透明電極と、第１、第２ＰＥＴフィルムとを備えたまでの形態を「調光フィルム」、合わせガラスまたは後貼り型用に使用する形態を「調光シート」と呼称する。
【００１１】
調光シートでは、長期間使用、耐水性、車載対応などを含む高い信頼性を求められることが多くなってきている。調光層は、中間膜や接着剤に含まれる可塑剤や大気中の水分の影響により、電気信号に対する応答性が低下する可能性がある。このことから、調光フィルムは、調光層を保護するための工夫を施すことが求められる。このような状況、要望に対応するために、合わせガラスやラミネート（または真空ラミネート）を用いたパウチ構造などのさまざまな構造が提案、提供されている（例えば特許文献１〜７）。
【００１２】
合わせガラスにおいて、中間膜１１の端部から調光層４が侵される課題に関しては、図８のように、図７に示す、調光フィルム５の端部に封止材６を形成する構造を用いることが第一の解決手段として考えられる。
【００１３】
調光シート単体への封止構造として図７の形態を用いる場合は、封止材６の接触面積が少ないため、封止材６に外力が加わることや、施工時の曲げなどにより封止材６の剥がれなどが発生する懸念がある。また、調光フィルム５の端部への封止材６形成には特殊な封止プロセス設備が必要になるなどの課題もある。
【００１４】
その他にも、後貼り型の調光シートで端部を封止する案としては、図９の第２例のように、一対の透明電極付きＰＥＴフィルム３の一方の外周部をハーフカットし剥離した後に、ディスペンサなどで調光フィルム５を含む端部を覆う形状に封止材６を塗布する形態も提案されている。
【００１５】
しかしながら、図９の形状の場合、図７の構造と同様に、端部の封止材が露出しているので、外力等より封止材６が剥がれる恐れがあり、また、後述の図１１のように調光フィルム５上に透明性フィルム１ｂを備える場合に、透明電極付きＰＥＴフィルム３表面に封止材６が乗り上げていることが障害になる、という課題がある。また、ハーフカットなどの難度の高いプロセスを含め、封止のためのプロセスが増えるという課題もある。
【００１６】
このように、後貼り型は適用できる範囲が拡大できる可能性がある反面、本来調光フィルムが露出した形態である。このため、通常図１０のように、ガラス１０等の基板への貼り合わせた後に封止材６を塗布形成する方法もあるが、透明性接着剤２と調光フィルム５による段差をもつ端面の被覆が必要であり、調光フィルム５上の厚みを含め、均一に形成することが困難であるという課題がある。そこで、外観的に均一できれいに仕上げるためには労力や職人技が必要とされる。また、図１１のように調光フィルム５上に透明性フィルム１ｂを備える場合には、より大きな段差を被覆する必要がある。
【００１７】
このように、封止材６としては、調光層４を侵さない材料であることに加えて、特に後貼り型の調光シートに用いる場合は、調光フィルム５や透明性フィルム１ｂの端面からの剥離防止などの機械的な強度、透明電極端部からの漏電防止、外部からの湿気や汚染物の遮断などの機能を備えること、など条件が多くなる。
【００１８】
後貼り型の調光シートのガラス１０への貼り合わせ後の端面保護として、封止材６の塗布以外に、図１２のように、透明性フィルム１ｔと透明性接着剤２ｔから成る封止テープ１２による保護構造も提案されている。上述の封止材６に比し、封止テープ１２の方が外力に対して強固で、均一に形成できると考えられるが、透明性接着剤２ｔとして密着性や外部汚染からの遮断性、信頼性などの機能と合わせて、調光層４を侵さない材料を選ぶ必要があり、特殊かつ高価になる課題がある。
【００１９】
また、図示しないが、封止テープを使用すると、図１１のように調光フィルム５上に透明性フィルム１ｂを備える場合にはより大きな段差のカバーが必要になるとともに、周辺部には封止テープ１２の代（しろ）が必要であり、外観、設計、加工上の課題になる。
【００２０】
調光層４へのダメージは、図１３のように、調光フィルム５単体を封止テープ１２で封止する場合にも課題になり、その課題を改善するために、図１４のように、調光層４の端部に透明性接着剤２ｔが触れない構造も提案されている。
【００２１】
前記の調光フィルム５単体に対する課題を解決し、さらに信頼性を向上させるためには、図７の封止材６を備える構造と、図１３の封止テープ１２を用いる構造とを組み合わせた図１５の構造も考えられる。但し、調光フィルム５側面の処理が二重化し、プロセスが煩雑になることが課題になる。
【００２２】
また、後貼り型の調光シートで信頼性の強化や防水性の向上などのために、図１６のような、ラミネート（または真空ラミネート）を用いたパウチ構造、もしくは図１７のような、片面は端部だけを残したパウチ構造にすることも提案されている。
【００２３】
しかしながら、上記の封止テープを用いる場合と同様、透明性接着剤２ｂに、調光層４にダメージを与えないことも含め、複数の機能を持たせる必要があり、材料が特殊かつ高価になる懸念がある。また、真空ラミネートを用いる場合には、設備的に建材のような大きなものには適用しにくいという課題もある。加えて、周辺部の厚さが変わってしまい、ラミネートしにくいなどの課題もある。
【先行技術文献】
【特許文献】
【００２４】
【特許文献１】特開平４−１５２３２４号公報
【特許文献２】特開２０１１−２２７４００号公報
【特許文献３】特開２０１４−９１４０５号公報
【特許文献４】特開２０１７−１５１１５１号公報
【特許文献５】特開２０１８−９７２６１号公報
【特許文献６】特開２０１８−１０５９８４号公報
【特許文献７】特開２０１８−１４１８９０号公報
【発明の概要】
【発明が解決しようとする課題】
【００２５】
本発明は、上記のような現状課題、状況を鑑みて発案されたものであり、後貼り型や合わせガラス用の調光シートとして、調光層を侵さない材料と構成で、外力や施工時の曲げなどによる剥離、クラックなどが起こらない機械的強度があり、諸々の外的要因（湿度、水、汚れ）からの保護が可能であるので信頼性が高く、外観的にも良好で、使い勝手もよい調光シートとその製造方法及びそれを用いた合わせガラスや後貼り型の調光シートを提供することを目的とする。
【課題を解決するための手段】
【００２６】
上記の課題を解決するために、本発明に係る調光シートは、調光フィルムが、液晶調光層の両側の面にそれぞれ、第１、第２透明電極と、第１、第２ＰＥＴ（ポリエチレンテレフタレート）フィルムとを備え、
前記調光フィルムの両側の面にそれぞれ、平面視で前記調光フィルムよりも広い面積で前記調光フィルムを覆う第１、第２透明性フィルムが、夫々第１、第２透明性接着剤を介して接着され、
平面視で前記第１及び第２透明性フィルムが前記調光フィルムと重ならない領域に封止材を備え、
平面視で前記第２透明性接着剤の外形は、前記第２透明性フィルムの外形と一致する、ことを特徴とする調光シートとしたものである。
【００２７】
あるいは本発明に係る調光シートは、調光フィルムが、液晶調光層の両側の面にそれぞれ、第１、第２透明電極と、第１、第２ＰＥＴ（ポリエチレンテレフタレート）フィルムとを備え、
前記調光フィルムの両側の面にそれぞれ、平面視で前記調光フィルムよりも広い面積で前記調光フィルムを覆う第１、第２透明性フィルムが、夫々第１、第２透明性接着剤を介して接着され、
平面視で前記第１及び第２透明性フィルムが前記調光フィルムと重ならない領域に封止材を備え、
平面視で前記第２透明性接着剤の外形は、前記調光フィルムの外形と一致する、
ことを特徴とする調光シートとしたものである。
【００２８】
上記の調光シートにおいては、
前記第２透明性フィルムは、第２透明性接着剤と接合する側の面に剥離剤がコーティングされた剥離コート層を有し、剥離自在に該第２透明性接着剤を保護する構成としても良い。
【００２９】
さらに本発明に係る調光シートは、前記第１、第２透明性接着剤の少なくとも一方が、紫外線カット（吸収、反射）機能、赤外線カット（吸収、反射）機能、波長選択機能の少なくとも１つを有する、ことを特徴とする調光シートであることが好ましい。
【００３０】
また、前記第１、第２透明性フィルムの少なくとも一方が、紫外線カット（吸収、反射）機能、赤外線カット（吸収、反射）機能、波長選択機能の少なくとも１つを有する、ことを特徴とする調光シートであることが好ましい。
【００３１】
また、本発明に係る調光シートの製造方法は、以下の工程を順次含む、ことを特徴とする製造方法としたものである。
１）液晶調光層の両側の面にそれぞれ、第１、第２透明電極と、第１、第２ＰＥＴ（ポリエチレンテレフタレート）フィルムとを有する調光フィルムを作製する工程。
２）前記調光フィルムの少なくとも一方の面に第１、第２透明性接着剤の少なくとも一方を塗布形成し、平面視で所定の外形に切断する工程。
３）所定の外形に切断した前記調光フィルムに、平面視で前記調光フィルムよりも広い面積で前記調光フィルムを覆う第１透明性フィルムを貼り合わせた積層体を作製する工程。
４）前記積層体の、平面視で前記第１透明性フィルムが前記調光フィルムと重ならない領域の、前記調光フィルムの近傍に封止材を配置する工程。
５）第２透明性接着剤が塗布形成されており平面視で前記調光フィルムよりも広い面積で前記調光フィルムを覆う第２透明性フィルム、若しくは第２透明性接着剤が塗布形成されておらず平面視で前記調光フィルムよりも広い面積で前記調光フィルムを覆う第２透明性フィルムと、
前記積層体と、を貼り合わせて調光シート用積層体を作製する工程。
６）前記調光シート用積層体を、平面視で前記調光フィルムよりも外部の、前記封止材の途中で切断する工程。
【００３２】
また、本発明に係る合わせガラスは、一対のガラス間に、中間膜と、上記のいずれか一項に記載の調光シートと、を挟持して一体化された、ことを特徴とする合わせガラスとしたものである。
【００３３】
本発明に係る後貼り型調光シートでは、
第２透明性フィルムには、第２透明性接着剤と接合する側の面に剥離剤がコーティングされた剥離コート層を有し、剥離自在に該第２透明性接着剤を保護する構成の調光シートから第２透明性フィルムを剥離して、露出させた第２透明性接着剤に、調光シート以上の面積のガラス板を接合してなる構成が好適である。
【発明の効果】
【００３４】
本発明によれば、後貼り型や合わせガラス用の調光シートとして、調光層を侵さない材料と構成で、外力や施工時の曲げなどによる剥離、クラックなどが起こらない機械的強度があり、諸々の外的要因（湿度、水、汚れ）からの保護が可能であるので信頼性が高く、フルフラット（平坦）のため外観的にも良好で、構造の共通化によって使い勝手もよい調光シートとその製造方法及びそれを用いた合わせガラスが得られる。
【００３５】
また、調光シートでは様々なアプリケーションや使用環境に合わせた、個別の機能アレンジや評価が必要になるが、構造の共通化により、機能調整、評価などを最小限にできる効果も得られる。
【図面の簡単な説明】
【００３６】
【図１】本開示の第１実施形態に係る、調光シートの第１例を例示する模式断面図である。
【図２】本開示の第２実施形態に係る、調光シートの第２例を例示する模式断面図である。
【図３】本開示の第３実施形態に係る、後貼り型調光シートで、ＦＰＣ（フレキシブルプリント回路基板）電極が付いた形態の模式断面図である。
【図４】本開示の第４実施形態に係る、合わせガラスの模式断面図である。
【図５】本開示の第１実施形態に係る調光シートの製造工程の一部を示す、（ａ）（ｂ）（ｃ）は模式断面図、（ｃ’）は模式平面図である。
【図６】従来の調光フィルムを挟持した合わせガラスの第１例を例示する模式断面図である。
【図７】従来の後貼り型調光シートの第１例を例示する模式断面図である。
【図８】従来の調光フィルムを挟持した合わせガラスの第２例を例示する模式断面図である。
【図９】従来の後貼り型調光シートの第２例を例示する模式断面図である。
【図１０】従来の後貼り型調光シートをガラスへ貼り合わせた後に、封止材を形成した形態を例示する模式断面図である。
【図１１】図１０で、調光シート上に透明性フィルムを貼り合わせた形態を例示する模式断面図である。
【図１２】図１０で、封止材の代わりに、透明性フィルムと透明性接着剤から成る封止テープで封止した形態を例示する模式断面図である。
【図１３】従来の、調光フィルム単体を封止テープで封止した形態を例示する模式断面図である。
【図１４】図１３で、調光層の端部に透明性接着剤が触れない構造を例示する模式断面図である。
【図１５】図７の封止材を備える構造と、図１３の封止テープを用いる構造とを組み合わせた構造を例示する模式断面図である。
【図１６】従来の調光シートで、調光フィルムの両面に透明性フィルムをラミネートしたパウチ構造を例示する模式断面図である。
【図１７】図１６で、片面は端部だけを残したパウチ構造を例示する模式断面図である。
【図１８】第２透明性フィルム１ｂに剥離フィルムを採用した調光シートを用いて後貼り型調光シートに適用した形態を例示する模式断面図である。
【発明を実施するための形態】
【００３７】
以下、本開示の実施形態に係る調光シートとその製造方法及びそれを用いた合わせガラスについて図面を用いて説明する。同一の構成要素については便宜上の理由がない限り同一の符号を付ける。各図面において、見易さのため構成要素の厚さや比率は誇張されていることがあり、構成要素の数も減らして図示していることがある。また、本開示は以下の実施形態そのままに限定されるものではなく、主旨を逸脱しない限りにおいて、適宜の組み合わせ、変形によって具体化できる。
【００３８】
図１は、本開示の第１実施形態に係る、調光シートの第１例を例示する模式断面図である。本開示の第１例の調光シート１００は、調光フィルム５が調光層４の両側の面にそれぞれ、第１、第２透明電極（図示せず）付きの第１、第２ＰＥＴフィルム３を備え、調光フィルム５の両側の面にはそれぞれ、平面視で調光フィルム５よりも広い面積で調光フィルム５を覆う第１、第２透明性フィルム１ａ、１ｂが第１、第２透明性接着剤２ａ、２ｂを介して接着され、平面視で第１及び第２透明性フィルム１ａ、１ｂが調光フィルム５と重ならない領域に封止材６を備え、平面視で第２透明性接着剤２ｂの外形は、第２透明性フィルム１ｂの外形と一致している。
【００３９】
図２は、本開示の第２実施形態に係る、調光シートの第２例を例示する模式断面図である。本開示の第２例の調光シート２００が第１例の調光シート１００と異なる部分は、平面視で第２透明性接着剤２ｂの外形は、第２透明性フィルム１ｂの外形とではなく、調光フィルム５の外形と一致していると一致している、ということである。
【００４０】
図１の調光シート１００と図２の調光シート２００はいずれも、調光フィルム５を透明性フィルム１ａ、１ｂ、及び透明性接着剤２ａ、２ｂで挟持して、その外周部を封止材６で完全に包囲した密閉構造としているため、耐湿、耐水、防滴などの機能が向上する。
【００４１】
また、本開示の調光シート１００、２００では、封止材６は、封止テープ方式（図１２参照）のように、調光フィルム５表面の保護に用いる透明性フィルム１ａ、１ｂの貼り合わせに用いる透明性接着剤２ａ、２ｂと機能を併用しなくてもよい。このため、それぞれが固有の機能を発現しやすい。
【００４２】
上記のように、本開示の調光シート１００、２００では、端面の封止材６は透明性フィルム１ａと、透明性接着剤２ｂまたは透明性フィルム１ｂと、によって挟持された構造であり、調光シート断面としては端面までフラット（平坦）であるため、外観的に良好で、使い勝手も良くなり、外力（ひっかき、こすれ）や施工時の曲げなどによって封止材６の部分欠落やクラックが起きにくい封止構造を実現できる。
【００４３】
図１の調光シート１００と図２の調光シート２００は、作製する調光シートの用途、大きさや厚さ等の仕様、及び構成材料同士の相性に応じて適宜選択することができる。尚、後述のように、図１の調光シート１００と図２の調光シート２００は、製造工程の一部が異なる。
【００４４】
図１の調光シート１００と図２の調光シート２００は、作製する調光シートの用途、大きさや厚さ等の仕様、及び構成材料同士の相性に応じて適宜選択することができる。尚、後述のように、図１の調光シート１００と図２の調光シート２００は、製造工程の一部が異なる。
【００４５】
透明性フィルム１ａ、１ｂとしては、ＰＥＴを用いることが好適であるが、これに限定されるものではなく、ＰＥＮ（ポリエチレンナフタレート）、ＰＥＳ（ポリエーテルサルフォン）、アクリル、ＰＣ（ポリカーボネート）、など用途に応じた樹脂材料を選択できる。厚みは、後貼り施工を考えた場合、施工性の面で薄いことが好ましく、２５〜５０μｍ程度が好ましいが、用途に応じてその限りではなく、最大数ｍｍ程度の厚みであっても良い。
【００４６】
また、透明性フィルム１ｂとしては、少なくとも第２透明性接着剤２ｂに接合される側の表面に剥離剤がコーティングされたものを採用してもよい。また作製される調光シート１００，２００としては、第２透明性接着剤を保護する剥離フィルムとしての機能を持たせても良い。剥離剤はシリコン系，非シリコン系の何れでも良い。図１や図２に示す構成の調光シート１００，２００を２枚のガラス板に挟み込んだ合わせガラスの形態に加工する場合、または１枚のガラス等の基板に貼り合せる後貼り型の調光シートの形態に加工する場合、調光シート１００，２００から透明性フィルム１ｂ（剥離フィルム）を剥離して露出した第２透明性接着剤２ｂをガラス板１０に接合させることが出来る。図１に示す構成の調光シート１００を用いて後貼り型調光シートに適用した形態を例示する模式断面図を図１８に示す。
【００４７】
透明性フィルム１ａ、１ｂには、別途薄膜を付加することなどによって、耐候性の強化や遮熱性能へ対応のための紫外線カット（吸収又は反射）、赤外線カット（吸収又は反射）、意匠性付与等のための波長選択性（着色）、ハードコート（摩耗、擦傷性の向上）、反射防止機能、バリア性（湿度、ガス透過性低減）などの機能を付与しても良い。尚、透明性フィルム１ａ、１ｂは同じ材料でもよく、異なる材料であってもよい。
【００４８】
透明性接着剤２ａ、２ｂには、一般的にＯＣＡ（光学透明性粘着材）と呼ばれるものを用いるが、アクリル系、シリコン系、ウレタン系などのものがあり、用途に応じて選択する。特定波長領域に対する光吸収剤を含み、紫外線カット（吸収又は反射）、赤外線カット（吸収又は反射）、波長選択性（着色）などの機能を付加したものを用いても良い。厚みは１０〜３０μｍくらいが好適であるが、目的に応じてこの限りではない。尚、透明性接着剤２ａ、２ｂは同じ材料でもよく、異なる材料であってもよい。
【００４９】
また、本開示の調光シート１００、２００では、透明性フィルム、及び透明性接着剤のどちらか一方、または双方、片面、または両面を着色することによって、黒、グレーなどの色も含めた調光フィルムとすることもできる。
【００５０】
封止材６としては、一般にアクリル系材料などを用いることができるが、用途や周辺材料との相性などに応じ、オレフィン系、エチレン・酢酸ビニル系、ウレタン系、シリコン系、それらの複合系などの材料を用いても良い。ただし、基本性能として調光層と接触して、調光層の経時的な変化も含め侵さない（機能低下を招かない）ことが必須で、外気や湿度、水などの防御性に優れるものが好ましい。ディスペンサなどの滴下に好適な粘度の紫外線硬化樹脂などがプロセス的に扱いやすい。
【００５１】
封止材６は一般的には透明材料を用いることが好ましいが、状況に応じては調光フィルム５の不透明時色に合わせることで、ガラスフレーム近くまで隙間を作らずに調光シート
を貼り、端部の隙間感をなくすことも可能である。また、必要な場合には調光フィルム５と透明性フィルム１ａ、１ｂとのラミネートの際に、調光フィルム５の端部の負荷が低減できるよう、フィラー（スペーサー）を入れた材料を用いても良い。
【００５２】
図３は、本開示の第３実施形態に係る、後貼り型調光シートで、ＦＰＣ（フレキシブルプリント回路基板）電極が付いた形態の模式断面図である。後貼り型調光シート３００は、薄型のＦＰＣ電極８ａ、８ｂが、図１の本開示の第１例の調光シート１００の、透明性フィルム１ａ、１ｂ、及び透明性接着剤２ａ、２ｂに挟持された封止材６の中に埋め込む形で形成されている。従って、ＦＰＣ電極も含めて調光シートの端面までフラットであるため、外力や施工時の曲げなどによって封止材６の部分欠落やクラックが起きにくい調光シートとなる。尚、ここで、第１例の調光シート１００は、第２例の調光シート２００であってもよい。
【００５３】
さらに、本開示の後貼り型調光シート３００では、透明電極付きＰＥＴフィルム３の透明電極（不図示）と、薄型のＦＰＣ電極８ａ、８ｂと、がＡＣＦ（異方性導電接着フィルム）７ａ、７ｂを介して電気的に接続し、図面で透明性フィルム１ａの下面側には予め後貼り用の透明性接着剤２が形成され、透明性接着剤２のさらに下面側には、後貼り前の形態でカバーフィルム９を備えている。カバーフィルム９は後貼り施工時に剥離する。
【００５４】
図４は、本開示の第４実施形態に係る、合わせガラスの模式断面図である。本開示の合わせガラス４００は、一対の合わせガラス１０の中に、図１の本開示の第１例の調光シート１００が中間膜１１を介して挟持されている。このように合わせガラスにも第１例の調光シートを共通の構造で使うことができるので使い勝手がよい。ここで、第１例の調光シート１００は、第２例の調光シート２００であってもよい。
【００５５】
本開示の合わせガラス４００では、本開示の第１例の調光シート１００（または第２例の調光シート２００）を用いることにより、以下のメリットが生まれる。すなわち、調光フィルム５の調光層４が中間膜１１に直接侵されることを防ぐ。透明性フィルム１ａ、１ｂとして中間膜１１と相性のよい材料を選び場合によっては表面処理を施す事等で密着性や耐久性を改善する。透明性フィルム１ａ、１ｂの膜厚を調整することで合わせガラスとして好適な厚みに調整できる。
【００５６】
図５は、本開示の第１実施形態に係る調光シート１００（図１）の製造工程の一部を示す、（ａ）（ｂ）（ｃ）は模式断面図、（ｄ）は模式平面図である。
【００５７】
まず、片面に透明性接着剤を形成した調光フィルムをプロッタなどで所定の外形に切断し調光フィルム５、透明性接着剤２ａの形状とし、透明性フィルム１ａをラミネートなどの手法で貼り合わせて積層体５０を作製する（図５（ａ））。この時、透明性フィルム１ａは、平面視で、切断した調光フィルム５よりも広い面積で調光フィルム５を覆うように、切断した調光フィルム５よりも一回り（５〜１０ｍｍ程度／辺）大きなサイズとする。尚、切断した調光フィルム５は、透明性フィルム１ａに対して、ほぼ均等にセンターに配置して貼り合わせを行うが、高精度に位置決めをする必要はない。
【００５８】
次に、積層体５０の、平面視で第１透明性フィルム１ａが調光フィルム５と重ならない領域の、調光フィルム５の近傍に、封止材６ａをディスペンサなどの方法で全周にわたって滴下配置する（図５（ｂ））。塗布位置は調光フィルム５にぎりぎりかからない程度が好ましいが、裾が若干接触するレベルであれば問題がない。幅は任意であるが、この後の工程で透明性接着剤２ｂ付き透明性フィルム１ｂを貼り合わせた時に上下の透明性フィルム１ａ、１ｂの端部からはみ出さないように計算した量とする。
【００５９】
封止材は、滴下配置した封止材６ａの高さが調光フィルム５の膜厚より若干（２〜５μｍ）高くなるような粘度に調整されたものを用いることが好ましい。必要に応じては、紫外線、熱などで半硬化状態にしてもよい。また、必要に応じ、封止材６ａを配置する前に調光フィルム５の端面、並びに調光フィルム５の周辺部の透明性フィルム１ａの表面を、溶剤を付着させた布で拭き取ったり、紫外線、プラズマなどによって汚染除去し、塗布性を向上してもよい。
【００６０】
次に、図５（ｂ）の状態の、封止材６ａが配置された積層体５０上に透明性接着剤２ｂを塗布形成した透明性フィルム１ｂをラミネートなどの手法を用いて貼り合わせて調光シート用積層体６０を作製する（図５（ｃ））。このとき、透明性フィルム１ｂは、平面視で、調光フィルム５よりも広い面積で調光フィルム５を覆うように、調光フィルム５よりも一回り（５〜１０ｍｍ程度／辺）大きなサイズとする。尚、調光フィルム５に対して、ほぼ均等にセンターに配置して貼り合わせを行うが、高精度に位置決めをする必要はない。
【００６１】
前記の、貼り合わせて調光シート用積層体６０を作製する際に、封止材６ａをつぶして、押延べることで、調光フィルム５が透明性フィルム１ａ、１ｂと、接着材２ａ、２ｂとによって挟持されるとともに、調光フィルム５の端面が封止される。その後、紫外線などで封止材６ｂを硬化し、調光フィルム５を、上下は透明性フィルム１ａ、１ｂと透明性接着剤２ａ、２ｂ、外周部は封止材６ｂで包囲した密閉構造が形成される。
【００６２】
図５（ｃ’）は、図５（ｃ）の模式平面図である。ここで、透明性フィルム１ａと透明性フィルム１ｂとがわずかにずれ、調光フィルム５と封止材６ｂの形成位置がやや傾いたように図示しているのは、既述のように、調光フィルム５と透明性フィルム１ａと透明性フィルム１ｂとは、ほぼ均等にセンターに配置して貼り合わせるが、高精度に位置決めをする必要はない、ことを意味している。
【００６３】
次に、図５（ｃ’）の破断線Ｈに沿って、調光シート用積層体６０を、平面視で調光フィルム５よりも外部の封止材６ｂの途中で、より具体的には、調光フィルム５の端部を基準にその外周を必要な寸法（１〜２ｍｍ）だけ残すかたちでカットする。これにより、本開示の第１実施形態に係る調光シート１００（図１）を作製することができる。
【００６４】
本開示の第２実施形態に係る調光シート２００（図２）の製造工程は、図示しないが、第１実施形態に係る調光シート１００（図１）の製造工程と異なる部分は、第２透明性接着剤２ｂを、予め第２透明性フィルム１ｂではなく、第１透明性接着剤２ａと同様に、調光フィルム５に形成しておく、ということである。従って、調光シート２００の製造工程では、第２透明性接着剤２ｂの形成を第１透明性接着剤２ａの形成に引き続いて行うことができる。
【００６５】
本開示の第１、第２実施形態に係る調光シート１００、２００は、上記のような製造方法で製造することで、汎用的な製造プロセス設備の組み合わせによって製造することができ、且つ、最終工程で調光フィルムの端部を基準にして外形カットを行うので、封止幅を必要最小限にできるという利点も有する。
【符号の説明】
【００６６】
１００、２００・・・本開示の調光シート
３００・・・・・・・本開示の調光シート（後貼り型）
４００・・・・・・・本開示の合わせガラス
５０・・・・・・・・積層体
６０・・・・・・・・調光シート用積層体
１ａ・・・・・・・・第１透明性フィルム
１ｂ・・・・・・・・第２透明性フィルム
２・・・・・・・・・透明性接着剤（後貼り型用）
２ａ・・・・・・・・第１透明性接着剤
２ｂ・・・・・・・・第２透明性接着剤
２ｔ・・・・・・・・透明性接着剤（封止テープ用）
３・・・・・・・・・透明電極付きＰＥＴフィルム
４・・・・・・・・・調光層
５・・・・・・・・・調光フィルム
６・・・・・・・・・封止材
６ａ・・・・・・・・封止材（滴下配置時）
６ｂ・・・・・・・・封止材（貼り合わせ時）
７ａ、７ｂ・・・・・ＡＣＦ（異方性導電接着フィルム）
８ａ、８ｂ・・・・・ＦＰＣ（フレキシブルプリント回路基板）電極
９・・・・・・・・・カバーフィルム
１０・・・・・・・・ガラス
１１・・・・・・・・中間膜
１２・・・・・・・・封止テープ
【図１】
2020126240.tif 000003
【図２】
2020126240.tif 000004
【図３】
2020126240.tif 000005
【図４】
2020126240.tif 000006
【図５】
2020126240.tif 000007
【図６】
2020126240.tif 000008
【図７】
2020126240.tif 000009
【図８】
2020126240.tif 000010
【図９】
2020126240.tif 000011
【図１０】
2020126240.tif 000012
【図１１】
2020126240.tif 000013
【図１２】
2020126240.tif 000014
【図１３】
2020126240.tif 000015
【図１４】
2020126240.tif 000016
【図１５】
2020126240.tif 000017
【図１６】
2020126240.tif 000018
【図１７】
2020126240.tif 000019
【図１８】
2020126240.tif 000020